(57)【特許請求の範囲】
【請求項１】
ネットワーク側機器は、
端末に割り当てる非直交多元接続基本伝送ユニットであって、時間周波数領域リソース、パターンベクトルリソース、パイロットリソースに対応する前記非直交多元接続基本伝送ユニットを確定することと、
端末に対応する非直交多元接続基本伝送ユニットで端末のパイロット信号を検出することと、
前記パイロット信号を検出すると、前記パイロット信号の送信端末のデータ検出を非直交多元接続基本伝送ユニットによって行うこととを含み、
前記ネットワーク側機器が、端末に割り当てる非直交多元接続基本伝送ユニットを確定することは、
前記ネットワーク側機器が、端末とネットワーク側機器との距離に応じて、非直交多元接続パターン行列で、異なるダイバーシティのパターンベクトルを有する非直交多元接続基本伝送ユニットを端末に割り当てることを含み、
ここで、遠く離れた端末に対し、高いダイバーシティのパターンベクトルを有する非直交多元接続基本伝送ユニットを割り当てるデータ伝送方法。
【請求項２】
非直交多元接続基本伝送ユニットに対応する時間領域リソースは、１つまたは複数のＯＦＤＭシンボルを基本単位とし、
非直交多元接続基本伝送ユニットに対応する周波数領域リソースは、含まれるサブキャリア数が非直交多元接続パターン行列の行数の整数倍である周波数領域サブキャリア群を基本単位とし、
非直交多元接続基本伝送ユニットに対応するパターンベクトルリソースは、非直交多元接続パターン行列のうちの１列を基本単位とし、
非直交多元接続基本伝送ユニットに対応するパイロットリソースは、１組の直交パイロット信号集合のうちの１つを基本単位とする請求項１に記載の方法。
【請求項３】
それぞれ値の異なる各端末の端末情報に基づいて、端末に割り当てる非直交多元接続基本伝送ユニットを確定する請求項１に記載の方法。
【請求項４】
前記ネットワーク側機器は、端末に対応する非直交多元接続基本伝送ユニットで、端末から送信されるパイロット信号を検出した後に、さらに、
前記ネットワーク側機器は、
他端末とのパイロット信号衝突が発生する端末の存在を確定すると、予め保留したスケジューリング用時間周波数領域リソースで伝送するように前記端末をスケジューリングし、当該端末に新規に割り当てる非直交多元接続基本伝送ユニットをダウンリンクシグナリングによって通知すること、
または、
他端末とのパイロット信号衝突が発生する端末の存在を確定すると、前記端末がデータ送信の際にＮ（正整数）個サブフレームの遅延後にパイロット信号とデータの送信を対応する非直交多元接続基本伝送ユニットで行うように、マルチユーザのパイロット信号衝突の存在をダウンリンクシグナリングによって前記端末に通知することを含む請求項１に記載の方法。
【請求項５】
前記ネットワーク側機器は、
端末からアップリンクデータの受信時間間隔が閾値より大きくなるかによって、パイロット信号衝突が発生する端末の有無を判断し、
そうである場合、前記端末と他端末のパイロット信号衝突が存在すると確定するが、そうでなければ、前記端末と他端末のパイロット信号衝突が存在しないと確定する請求項２に記載の方法。
【請求項６】
前記ネットワーク側機器は、前記パイロット信号を検出した後に、さらに、
前記ネットワーク側機器は、前記パイロット信号の送信端末のパイロットチャネル推定を、非直交多元接続基本伝送ユニットによって行うことを含む請求項１に記載の方法。
【請求項７】
データ伝送用ネットワーク側機器であって、
端末に割り当てる非直交多元接続基本伝送ユニットであって、時間周波数領域リソース、パターンベクトルリソース、パイロットリソースに対応する前記非直交多元接続基本伝送ユニットを確定するための第１確定モジュールと、
端末に対応する非直交多元接続基本伝送ユニットで端末のパイロット信号を検出するための検出モジュールと、
前記パイロット信号を検出すると、前記パイロット信号の送信端末のデータ検出を非直交多元接続基本伝送ユニットによって行うための処理モジュールとを含み、
前記ネットワーク側機器が、端末に割り当てる非直交多元接続基本伝送ユニットを確定することは、
前記ネットワーク側機器が、端末とネットワーク側機器との距離に応じて、非直交多元接続パターン行列で、異なるダイバーシティのパターンベクトルを有する非直交多元接続基本伝送ユニットを端末に割り当てることを含み、
ここで、遠く離れた端末に対し、高いダイバーシティのパターンベクトルを有する非直交多元接続基本伝送ユニットを割り当てるデータ伝送用ネットワーク側機器。
【請求項８】
非直交多元接続基本伝送ユニットに対応する時間領域リソースは、１つまたは複数のＯＦＤＭシンボルを基本単位とし、
非直交多元接続基本伝送ユニットに対応する周波数領域リソースは、含まれるサブキャリア数が非直交多元接続パターン行列の行数の整数倍である周波数領域サブキャリア群を基本単位とし、
非直交多元接続基本伝送ユニットに対応するパターンベクトルリソースは、非直交多元接続パターン行列のうちの１列を基本単位とし、
非直交多元接続基本伝送ユニットに対応するパイロットリソースは、１組の直交パイロット信号集合のうちの１つを基本単位とする請求項７に記載のデータ伝送用ネットワーク側機器。
【発明の詳細な説明】
【技術分野】
【０００１】
本願は、２０１５年８月６日に中国特許庁に提出された中国特許出願２０１５１０４７７８１７．２の優先権を主張し、その全ての内容が援用により本願に取り込まれる。
【０００２】
本開示は、無線通信の技術分野に係り、特にデータ伝送方法および機器に関する。
【背景技術】
【０００３】
第５世代移動通信システム（５Ｇ）では、高いＧｂｐｓのユーザ体験レート、極めて高いフラックス密度、極めて多い接続数、スペクトル効率の向上、遅延の低下などのような技術が求められている。国内のＩＭＴ−２０２０（５Ｇ）促進グループは、５Ｇについて、広域カバレッジ／ホットスポット高容量カバレッジの移動インターネット応用向けのシーン、低電力損失で多い接続数／低遅延で高信頼性の移動モノのインターネット応用向けのシーンの４種類の典型的な応用シーンを提案している。
【０００４】
現在、３ＧＰＰ（３ｒｄ  Ｇｅｎｅｒａｔｉｏｎ  Ｐａｒｔｎｅｒｓｈｉｐ  Ｐｒｏｊｅｃｔ）は、ＭＵＳＴ（ＭｕｌｔｉＵｓｅｒ  Ｓｕｐｅｒｐｏｓｉｔｉｏｎ  Ｔｒａｎｓｍｉｓｓｉｏｎ）プロジェクトを立ち上げ、主に非直交多元接続（ＮＯＭＡ（Ｎｏｎ−ｏｒｔｈｏｇｏｎａｌ  ｍｕｌｔｉｐｌｅ  ａｃｃｅｓｓ））のダウンリンクでの応用およびスペクトル効率の向上を研究し、その本質として移動インターネットシーン向けの応用である。
【０００５】
５Ｇの移動インターネットサービス応用では、伝送レートの向上が主要な課題であり、通常、大規模アンテナ、ＵＤＮｓ（ｕｌｔｒａ−ｄｅｎｓｅ  ｎｅｔｗｏｒｋｓ）、高周波通信が主要な技術手段であるが、非直交多元接続が強化手段として用いられる。一方、移動モノのインターネットサービス応用の場合、甚大な量の接続が主要な課題である。
【０００６】
５Ｇの多い接続数、低遅延、高信頼性など移動モノのインターネット応用シーンについて、４Ｇシステムのアップリンクスケジューリングアルゴリズムをそのまま援用すると、大量の制御シグナリングオーバヘッドがかかり、接続数が一定の程度に達すると、スケジューリング端末数が制御チャネルリソースに制限される。
【０００７】
以上の記載をまとめると、現在、５Ｇのシーンについて、接続端末数が著しく増加するため、４Ｇシステムのアップリンクスケジューリングアルゴリズムをそのまま援用すると、大量の制御シグナリングオーバヘッドがかかる。
【発明の概要】
【発明が解決しようとする課題】
【０００８】
本開示の実施例は、接続端末数が著しく増加する５Ｇのシーンで４Ｇシステムのアップリンクスケジューリングアルゴリズムをそのまま援用すると、大量の制御シグナリングオーバヘッドがかかるという従来技術に存在する問題を解決するためのデータ伝送方法および機器を提供する。
【課題を解決するための手段】
【０００９】
本開示の一部の実施例によるデータ伝送方法において、ネットワーク側機器は、端末に割り当てる非直交多元接続基本伝送ユニットであって、時間周波数領域リソース、パターンベクトルリソース、パイロットリソースに対応する前記非直交多元接続基本伝送ユニットを確定し、端末に対応する非直交多元接続基本伝送ユニットで端末のパイロット信号を検出し、前記パイロット信号を検出すると、前記パイロット信号の送信端末のデータ検出を非直交多元接続基本伝送ユニットによって行う。
【００１０】
選択可能に、非直交多元接続基本伝送ユニットに対応する時間領域リソースは、１つまたは複数のＯＦＤＭシンボルを基本単位とし、非直交多元接続基本伝送ユニットに対応する周波数領域リソースは、含まれるサブキャリア数が非直交多元接続パターン行列の行数の整数倍である周波数領域サブキャリア群を基本単位とし、非直交多元接続基本伝送ユニットに対応するパターンベクトルリソースは、非直交多元接続パターン行列のうちの１列を基本単位とし、非直交多元接続基本伝送ユニットに対応するパイロットリソースは、１組の直交パイロット信号集合のうちの１つを基本単位とする。
【００１１】
選択可能に、前記ネットワーク側機器が、端末に割り当てる非直交多元接続基本伝送ユニットを確定することは、非直交多元接続パターン行列に基づいて非直交多元接続基本伝送ユニットを端末に割り当てること、または、それぞれ値の異なる各端末の端末情報に基づいて、端末に割り当てる非直交多元接続基本伝送ユニットを確定すること、または、ベアラーユーザ数の最も少ない非直交多元接続基本伝送ユニットを優先的に端末に割り当てることを含む。
【００１２】
選択可能に、前記ネットワーク側機器が、非直交多元接続パターン行列に基づいて非直交多元接続基本伝送ユニットを端末に割り当てることは、端末とネットワーク側機器との距離に応じて、非直交多元接続パターン行列で、異なるダイバーシティのパターンベクトルを有する非直交多元接続基本伝送ユニットを端末に割り当てることを含み、ここで、遠く離れた端末に対し、高いダイバーシティのパターンベクトルを有する非直交多元接続基本伝送ユニットを割り当てる。
【００１３】
選択可能に、前記ネットワーク側機器は、端末に対応する非直交多元接続基本伝送ユニットで、端末から送信されるパイロット信号を検出した後に、さらに、他端末とのパイロット信号衝突が発生する端末の存在を確定すると、予め保留したスケジューリング用時間周波数領域リソースで伝送するように前記端末をスケジューリングし、当該端末に新規に割り当てる非直交多元接続基本伝送ユニットをダウンリンクシグナリングによって通知し、または、他端末とのパイロット信号衝突が発生する端末の存在を確定すると、前記端末がデータ送信の際にＮ（正の整数）個サブフレームの遅延後にパイロット信号とデータの送信を対応する非直交多元接続基本伝送ユニットで行うように、マルチユーザのパイロット信号衝突の存在をダウンリンクシグナリングによって前記端末に通知する。
【００１４】
選択可能に、前記ネットワーク側機器は、端末からアップリンクデータの受信時間間隔が閾値より大きくなるかによって、パイロット信号衝突が発生する端末の有無を判断し、そうである場合、前記端末と他端末のパイロット信号衝突が存在すると確定するが、そうでなければ、前記端末と他端末のパイロット信号衝突が存在しないと確定する。
【００１５】
選択可能に、前記ネットワーク側機器は、前記パイロット信号を検出した後に、さらに、前記パイロット信号の送信端末のパイロットチャネル推定を、非直交多元接続基本伝送ユニットによって行う。
【００１６】
本開示の一部の実施例によるデータ伝送方法において、端末は、割り当てられた非直交多元接続基本伝送ユニットであって、時間周波数領域リソース、パターンベクトルリソース、パイロットリソースに対応する前記非直交多元接続基本伝送ユニットを確定し、送信される必要のあるアップリンクデータがある場合、対応する非直交多元接続基本伝送ユニットで、パイロット信号とデータを同時にネットワーク側機器に送信する。
【００１７】
選択可能に、非直交多元接続基本伝送ユニットに対応する時間領域リソースは、１つまたは複数のＯＦＤＭシンボルを基本単位とし、非直交多元接続基本伝送ユニットに対応する周波数領域リソースは、含まれるサブキャリア数が非直交多元接続パターン行列の行数の整数倍である周波数領域サブキャリア群を基本単位とし、非直交多元接続基本伝送ユニットに対応するパターンベクトルリソースは、非直交多元接続パターン行列のうちの１列を基本単位とし、非直交多元接続基本伝送ユニットに対応するパイロットリソースは、１組の直交パイロット信号集合のうちの１つを基本単位とする。
【００１８】
選択可能に、前記端末が、割り当てられた非直交多元接続基本伝送ユニットを確定することは、前記ネットワーク側機器から通知された対応する非直交多元接続基本伝送ユニットを受信すること、または、それぞれ値の異なる各端末の端末情報に基づいて、割り当てられた非直交多元接続基本伝送ユニットを確定することを含む。
【００１９】
選択可能に、前記端末は、対応する非直交多元接続基本伝送ユニットで、パイロット信号とデータを同時にネットワーク側機器に送信した後に、さらに、マルチユーザのパイロット信号衝突の存在が前記ネットワーク側機器からダウンリンクシグナリングによって通知されると、データ送信の際にＮ（正の整数）個サブフレームの遅延後に、パイロット信号とデータの送信を対応する非直交多元接続基本伝送ユニットで行う。
【００２０】
本開示の一部の実施例によるデータ伝送用ネットワーク側機器は、端末に割り当てる非直交多元接続基本伝送ユニットであって、時間周波数領域リソース、パターンベクトルリソース、パイロットリソースに対応する前記非直交多元接続基本伝送ユニットを確定するための第１確定モジュールと、端末に対応する非直交多元接続基本伝送ユニットで端末のパイロット信号を検出するための検出モジュールと、前記パイロット信号を検出すると、前記パイロット信号の送信端末のデータ検出を非直交多元接続基本伝送ユニットによって行うための処理モジュールとを含む。
【００２１】
選択可能に、非直交多元接続基本伝送ユニットに対応する時間領域リソースは、１つまたは複数のＯＦＤＭシンボルを基本単位とし、非直交多元接続基本伝送ユニットに対応する周波数領域リソースは、含まれるサブキャリア数が非直交多元接続パターン行列の行数の整数倍である周波数領域サブキャリア群を基本単位とし、非直交多元接続基本伝送ユニットに対応するパターンベクトルリソースは、非直交多元接続パターン行列のうちの１列を基本単位とし、非直交多元接続基本伝送ユニットに対応するパイロットリソースは、１組の直交パイロット信号集合のうちの１つを基本単位とする。
【００２２】
選択可能に、前記第１確定モジュールは、具体的に、非直交多元接続パターン行列に基づいて非直交多元接続基本伝送ユニットを端末に割り当てること、または、それぞれ値の異なる各端末の端末情報に基づいて、端末に割り当てる非直交多元接続基本伝送ユニットを確定すること、または、ベアラーユーザ数の最も少ない非直交多元接続基本伝送ユニットを優先的に端末に割り当てることに用いられる。
【００２３】
選択可能に、前記第１確定モジュールは、具体的に、端末とネットワーク側機器との距離に応じて、非直交多元接続パターン行列で、異なるダイバーシティのパターンベクトルを有する非直交多元接続基本伝送ユニットを端末に割り当てることに用いられ、ここで、遠く離れた端末に対し、高いダイバーシティのパターンベクトルを有する非直交多元接続基本伝送ユニットを割り当てる。
【００２４】
選択可能に、前記処理モジュールは、さらに、他端末とのパイロット信号衝突が発生する端末の存在を確定すると、予め保留したスケジューリング用時間周波数領域リソースで伝送するように前記端末をスケジューリングし、新規の非直交多元接続基本伝送ユニットへのマッピングをダウンリンクシグナリングによって当該端末に通知すること、または、他端末とのパイロット信号衝突が発生する端末の存在を確定すると、前記端末がデータ送信の際にＮ（正の整数）個サブフレームの遅延後にパイロット信号とデータの送信を対応する非直交多元接続基本伝送ユニットで行うように、マルチユーザのパイロット信号衝突の存在をダウンリンクシグナリングによって前記端末に通知することに用いられる。
【００２５】
選択可能に、前記処理モジュールは、さらに、端末からアップリンクデータの受信時間間隔が閾値より大きくなるかによって、パイロット信号衝突が発生する端末の有無を判断することに用いられ、そうである場合、前記端末と他端末のパイロット信号衝突が存在すると確定するが、そうでなければ、前記端末と他端末のパイロット信号衝突が存在しないと確定する。
【００２６】
選択可能に、前記処理モジュールは、さらに、前記パイロット信号を受信した後に、前記パイロット信号の送信端末のパイロットチャネル推定を、非直交多元接続基本伝送ユニットによって行うことに用いられる。
【００２７】
本開示の一部の実施例によるデータ伝送用端末は、割り当てられた非直交多元接続基本伝送ユニットであって、時間周波数領域リソース、パターンベクトルリソース、パイロットリソースに対応する前記非直交多元接続基本伝送ユニットを確定するための第２確定モジュールと、送信される必要のあるアップリンクデータがある場合、対応する非直交多元接続基本伝送ユニットで、パイロット信号とデータを同時にネットワーク側機器に送信するための送信モジュールとを含む。
【００２８】
選択可能に、非直交多元接続基本伝送ユニットに対応する時間領域リソースは、１つまたは複数のＯＦＤＭシンボルを基本単位とし、非直交多元接続基本伝送ユニットに対応する周波数領域リソースは、含まれるサブキャリア数が非直交多元接続パターン行列の行数の整数倍である周波数領域サブキャリア群を基本単位とし、非直交多元接続基本伝送ユニットに対応するパターンベクトルリソースは、非直交多元接続パターン行列のうちの１列を基本単位とし、非直交多元接続基本伝送ユニットに対応するパイロットリソースは、１組の直交パイロット信号集合のうちの１つを基本単位とする。
【００２９】
選択可能に、前記第２確定モジュールは、具体的に、前記ネットワーク側機器から通知された対応する非直交多元接続基本伝送ユニットを受信すること、または、それぞれ値の異なる各端末の端末情報に基づいて、割り当てられた非直交多元接続基本伝送ユニットを確定することに用いられる。
【００３０】
選択可能に、前記送信モジュールは、さらに、マルチユーザのパイロット信号衝突の存在が前記ネットワーク側機器からダウンリンクシグナリングによって通知されると、データ送信の際にＮ（正の整数）個サブフレームの遅延後に、パイロット信号とデータの送信を対応する非直交多元接続基本伝送ユニットで行うことに用いられる。
【００３１】
本開示の一部の実施例による基地局は、プロセッサと、前記プロセッサによる操作実行時に使用されるデータを記憶するためのメモリと、データを送受信するためのトランシーバとを含む。前記プロセッサは、前記メモリからプログラムを読み取って、端末に割り当てる非直交多元接続基本伝送ユニットであって、時間周波数領域リソース、パターンベクトルリソース、パイロットリソースに対応する前記非直交多元接続基本伝送ユニットを確定するプロセスと、端末に対応する非直交多元接続基本伝送ユニットで端末のパイロット信号を検出するプロセスと、前記パイロット信号を検出すると、前記パイロット信号の送信端末のデータ検出を非直交多元接続基本伝送ユニットによって行うプロセスとを実行する。
【００３２】
本開示の一部の実施例による基地局は、プロセッサと、前記プロセッサによる操作実行時に使用されるデータを記憶するためのメモリと、データを送受信するためのトランシーバとを含む。前記プロセッサは、前記メモリからプログラムを読み取って、割り当てられた非直交多元接続基本伝送ユニットであって、時間周波数領域リソース、パターンベクトルリソース、パイロットリソースに対応する前記非直交多元接続基本伝送ユニットを確定するプロセスと、送信される必要のあるアップリンクデータがある場合、対応する非直交多元接続基本伝送ユニットで、パイロット信号とデータを同時にネットワーク側機器に送信するプロセスとを実行する。
【発明の効果】
【００３３】
本開示の実施例のネットワーク側機器は、端末に割り当てる非直交多元接続基本伝送ユニットであって、時間周波数領域リソース、パターンベクトルリソース、パイロットリソースに対応する前記非直交多元接続基本伝送ユニットを確定し、端末に対応する非直交多元接続基本伝送ユニットで端末のパイロット信号を検出し、前記パイロット信号を検出すると、前記パイロット信号の送信端末のデータ検出を非直交多元接続基本伝送ユニットによって行う。本開示の実施例のネットワーク側機器は、端末に対応する非直交多元接続基本伝送ユニットで端末のパイロット信号を検出するので、端末に対するスケジューリングを行う必要なくデータ伝送を実現することができ、大量の端末がアクセスするシーンに対応することができ、制御シグナリングオーバヘッドを節約する。
【図面の簡単な説明】
【００３４】
【図１】本開示の一部の実施例によるデータ伝送システムの構造概略図である。
【図２】本開示の一部の実施例による非直交多元接続基本伝送ユニットの概略図である。
【図３】本開示の一部の実施例による端末と非直交多元接続基本伝送ユニットとのマッピング関係概略図である。
【図４】本開示の一部の実施例によるネットワーク側機器の構造概略図である。
【図５】本開示の一部の実施例による端末の構造概略図である。
【図６】本開示の一部の実施例によるネットワーク側機器の構造概略図である。
【図７】本開示の一部の実施例による端末の構造概略図である。
【図８】本開示の一部の実施例によるデータ伝送方法のフローチャートである。
【図９】本開示の一部の実施例によるデータ伝送方法のフローチャートである。
【発明を実施するための形態】
【００３５】
本開示の実施例のネットワーク側機器は、端末に割り当てる非直交多元接続基本伝送ユニットであって、時間周波数領域リソース、パターンベクトルリソース、パイロットリソースに対応する前記非直交多元接続基本伝送ユニットを確定し、端末に対応する非直交多元接続基本伝送ユニットで端末のパイロット信号を検出し、前記パイロット信号を検出すると、前記パイロット信号の送信端末のデータ検出を非直交多元接続基本伝送ユニットによって行う。本開示の実施例のネットワーク側機器は、端末に対応する非直交多元接続基本伝送ユニットで端末のパイロット信号を検出するので、端末に対するスケジューリングを行う必要なくデータ伝送を実現することができ、大量の端末がアクセスするシーンに対応することができ、制御シグナリングオーバヘッドを節約する。
【００３６】
本開示の実施例は、通常の非直交多元接続技術、例えばパターン分割非直交多元接続ＰＤＭＡ（Ｐａｔｔｅｒｎ  Ｄｉｖｉｓｉｏｎ  Ｍｕｌｔｉｐｌｅ  Ａｃｃｅｓｓ）に適用する。本開示の紹介に先立って、まずＰＤＭＡを簡単に紹介する。
【００３７】
ＰＤＭＡ技術は、新型の非直交多元接続技術であり、マルチユーザチャネルの非対称性を利用し、マルチユーザの異なるダイバーシティのスパース行列と符号化変調のジョイント最適化を設計することによって、時間周波数領域、パワー領域、空間領域など多次元の非直交信号重畳伝送を実現し、より高いマルチユーザ多重化およびダイバーシティゲインを取得する。
【００３８】
移動インターネットシーンと移動モノのインターネットシーンに好適に応用できるＰＤＭＡ技術は、移動インターネットシーンにおいて、マルチユーザスケジューリングによってシステムのスペクトル効率とシステム容量を強化することができ、移動モノのインターネットシーンにおいて、スケジューリングなし方式でアクセスユーザ数とシステム容量を向上させることができる。
【００３９】
本開示の実施例は、ＰＤＭＡ技術を用い、端末とＰＤＭＡ基本伝送ユニットとの間にマッピング関係を確立することによって、端末に対するスケジューリングを行うことなくデータ伝送を実現することができる。
【００４０】
以下、明細書の図面を参照しながら本開示の実施例をさらに詳細に記載する。
【００４１】
図１に示すように、本開示の一部の実施例におけるデータ伝送システムは、ネットワーク側機器１０と端末２０を含む。ネットワーク側機器１０は、端末に割り当てる非直交多元接続基本伝送ユニットであって、時間周波数領域リソース、パターンベクトルリソース、パイロットリソースに対応する前記非直交多元接続基本伝送ユニットを確定し、端末に対応する非直交多元接続基本伝送ユニットで端末のパイロット信号を検出し、前記パイロット信号を検出すると、前記パイロット信号の送信端末のデータ検出を非直交多元接続基本伝送ユニットによって行う。端末２０は、割り当てられた非直交多元接続基本伝送ユニットを確定し、送信される必要のあるアップリンクデータがある場合、対応する非直交多元接続基本伝送ユニットで、パイロット信号とデータを同時にネットワーク側機器に送信する。
【００４２】
ここで、端末は、送信される必要のあるアップリンクデータがない場合、対応する非直交多元接続基本伝送ユニットでのパイロット信号とデータの送信を行わない。
【００４３】
選択可能に、前記ネットワーク側機器は、前記パイロット信号を検出すると、前記パイロット信号の送信端末のパイロットチャネル推定を非直交多元接続基本伝送ユニットによって行う。
【００４４】
実施の際に、本開示の一部の実施例において、端末は、データを送信する前にデータを含まずアップリンクパイロットのみを含むアイドルパイロット信号を送信し、一定時間が経過してからアップリンクパイロットとデータの両方を含む信号を送信してもよく、データ伝送がなくても、所定時間長のアイドルアップリンクパイロット信号を持続的に送信してもよい。
【００４５】
本開示の一部の実施例の１つの非直交多元接続基本伝送ユニットは、時間、周波数、パターンベクトル、パイロット信号などのリソースの４次元組み合わせである。上述の４種類のリソースの基本単位は、下記のように定義される。
１．時間領域リソースは、１つまたは複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを基本単位とする。
２．周波数領域リソースは、周波数領域サブキャリア群を基本単位とする。周波数領域サブキャリア群に含まれるサブキャリア数が非直交多元接続パターン行列の行数の整数倍である。
３．非直交多元接続パターンベクトルリソースは、非直交多元接続パターン行列のうちの１列を基本単位とする。
４．パイロットリソースは、１組の直交パイロット信号集合のうちの１つを基本単位とする（例えば、パイロット信号集合は、ＣＤＭ方式を用い、ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの単独の循環シフト値に対応する。）。
【００４６】
選択可能に、本開示の一部の実施例において、データ伝送の前に、ネットワーク側機器と端末でアップリンクのスケジューリングなしパラメータが予め定義される。
【００４７】
アップリンクのスケジューリングなしパラメータは、システムの使用可能な全体周波数領域リソースを確定するためのシステムの帯域幅、スケジューリングありとスケジューリングなしのそれぞれの使用可能な時間周波数領域リソースを確定するためのスケジューリングなし／スケジューリングありの時間周波数領域リソース区分割合、端末によるアップ／ダウンリンクのスケジューリングなし伝送の際にデータの符号化変調方式であるアップリンクのスケジューリングなし伝送のデータフォーマット、アップリンクのスケジューリングなしの非直交多元接続基本伝送ユニット、端末から非直交多元接続基本伝送ユニットへのマッピングルールのうちの一部または全てを含むが、それらに限定されない。
【００４８】
実施例において、端末は、従来のＬＴＥにおけるランダムアクセスプロセスを援用してランダムアクセス要求をネットワーク側機器に送信してもよい。それに対応して、ネットワーク側機器と端末は、端末のアクセス成功後に、端末に割り当てる非直交多元接続基本伝送ユニットを確定する。
【００４９】
実施例において、非直交多元接続基本伝送ユニットは、チャネル環境パラメータに基づいて確定される。
【００５０】
ここで、チャネル環境パラメータは、端末のランダムアクセスプロセス中にレポートされるパスロス（ＰＬ）、位置、受信電力（ＲＳＲＰ）、信号対雑音比（ＳＮＲ）などのうちの一部または全てを含むが、それらに限定されない。
【００５１】
上述したチャネル環境パラメータのどれが用いられようとしても、本開示の一部の実施例で確立した端末と非直交多元接続基本伝送ユニットとのマッピング関係では、割り当てる基本伝送ユニットのパターンベクトルのダイバーシティに一定の規則があることが保証され、すなわち、チャネル環境が良好であるユーザにダイバーシティの高いパターンベクトルが割り当てられ、チャネル環境が悪いユーザにダイバーシティの低いパターンベクトルが割り当てられる。
【００５２】
本開示の一部の実施例において、非直交多元接続基本伝送ユニットを確定する複数の方法を示しているが、以下それぞれ紹介する。
【００５３】
方法１：ネットワーク側機器は、非直交多元接続パターン行列に基づいて非直交多元接続基本伝送ユニットを端末に割り当てる。
【００５４】
具体的に、前記ネットワーク側機器は、端末とネットワーク側機器のチャネル環境パラメータに基づいて、非直交多元接続パターン行列で、異なるダイバーシティのパターンベクトルを有する非直交多元接続基本伝送ユニットを端末に割り当てる。チャネル環境パラメータのうちの距離というパラメータを例として説明し、ここで遠く離れた端末には、高いダイバーシティのパターンベクトルを有する非直交多元接続基本伝送ユニットが割り当てられる。上述の割当の根拠として、同一のＰＯ（すなわちアップリンクの目標受信電力）を保証する条件で、ネットワーク側機器から離れた端末は、ネットワーク側機器に近い端末より、ＮＬＯＳ（Ｎｏｎ−ＬＯＳ）特徴が明らかである。すなわち、端末チャネルがネットワーク側機器から離れるほど、ＮＬＯＳ（Ｎｏｎ−ＬＯＳ）特徴が明らかになり、ＮＬＯＳ（Ｎｏｎ−ＬＯＳ）による当該端末の短距離スケールのディープフェーディング確率が比較的大きい。一方、端末がネットワーク側機器に近いほど、ＬＯＳ（ＬＯＳ）特徴が明らかになり、当該端末の短距離スケールのディープフェーディング確率が比較的小さい。
【００５５】
実施の際に、ネットワーク側機器は、一定のルールに準じて、適切な非直交多元接続パターン行列を選択する。
【００５６】
例えば、設定したシーンでの端末数とネットワーク側機器のプロセッサ処理力に応じて適切な非直交多元接続パターン行列を選択するか、ランダムに選択する。
【００５７】
以下、設定したシーンでの端末数とネットワーク側機器のプロセッサ処理力に応じて適切な非直交多元接続パターン行列を選択する１つの例を挙げる。
【００５８】
ネットワーク側機器のプロセッサ処理力として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）直交方式に対し最大で４００％の過負荷率を充分にサポートできるとし、設定したシーンの端末のサービスに必要とされる過負荷率が２００％〜３００％にあるため、過負荷率３００％の非直交多元接続パターン行列［４，１２］を選択できる。具体的なパターン行列の定義は、出願番号２０１５１０１６２２９０．４における符号化行列とパターンマッピング符号化行列に対応する。
【００５９】
ネットワーク側機器は、非直交多元接続パターン行列のダイバーシティが異なるという特徴、および端末とネットワーク側機器の距離遠近ルールに基づいて、異なるダイバーシティのパターンベクトルを有する非直交多元接続基本伝送ユニットを端末に割り当てる。ここで、遠く離れたユーザにダイバーシティの高いパターンベクトルを割り当て、近くのユーザにダイバーシティの低いパターンベクトルを割り当てる。
【００６０】
具体的に、異なるダイバーシティを有する非直交多元接続パターンベクトルを異なる組に分け、同一ダイバーシティを有する非直交多元接続パターンベクトルを同一組に分け、グループ分け後のパターンベクトルを、確定済みの時間周波数領域リソースとパイロットリソースとともに非直交多元接続基本伝送ユニットにマッピングし、割り当てる非直交多元接続基本伝送ユニットを端末に通知する。
【００６１】
ここで、ダイバーシティに基づくグループ分けは、主に、同一基地局に管理される端末の分布が異なりかつ端末から基地局までのアップリンクチャネル条件も異なることを考慮したからである。したがって、チャネル条件がほぼ同一である端末は、同一ダイバーシティのパターンベクトルグループ内に分けられる。
【００６２】
方法１の場合、ネットワーク側機器は、端末に割り当てる非直交多元接続基本伝送ユニットを確定した後に、端末と非直交多元接続基本伝送ユニットとのマッピング関係を端末に通知する。それに対応して、端末は、ネットワーク側機器からの通知に基づいて、割り当てられた非直交多元接続基本伝送ユニットを確定する。
【００６３】
方法２：前記ネットワーク側機器は、端末情報に基づいて、端末に割り当てる非直交多元接続基本伝送ユニットを確定し、ここで、各端末の端末情報の値が異なる。
【００６４】
端末がネットワーク側機器にアクセスする場合、ネットワーク側機器は、明示的なリソースを端末に割り当てない。端末は、自身固有のユーザ特徴（例えば物理ＩＤ）に基づいて、一定のルールに準じて、対応する非直交多元接続基本伝送ユニットにマッピングする。しかも、１つの端末は、１つの非直交多元接続基本伝送ユニットのみに対応する。
【００６５】
例えば、端末の物理ＩＤと非直交多元接続基本伝送ユニットの数のモジュロ（ｍｏｄ）を算出する。非直交多元接続基本伝送ユニットの番号＝端末の物理ＩＤ  ｍｏｄ  非直交多元接続基本伝送ユニットの総数によって、非直交多元接続基本伝送ユニットの番号が分かっていれば、対応する非直交多元接続基本伝送ユニットを正しく位置決めることができる。
【００６６】
もちろん、実施の際に、ネットワーク側機器において、端末情報に基づいて、端末に割り当てる非直交多元接続基本伝送ユニットを確定した後に端末に通知してもよく、端末による確定を必要としない。
【００６７】
方法３：前記ネットワーク側機器は、ベアラーユーザ数の最も少ない非直交多元接続基本伝送ユニットを優先的に端末に割り当てる。
【００６８】
具体的に、ネットワーク側機器は、割当可能な非直交多元接続基本伝送ユニットにベアラーされる端末数をエルゴード的に統計し、端末をベアラーユーザ数の最も少ない基本伝送ユニットに優先的にマッピングする。
【００６９】
方法３の場合、ネットワーク側機器は、端末に割り当てる非直交多元接続基本伝送ユニットを確定した後に、端末と非直交多元接続基本伝送ユニットとのマッピング関係を端末に通知する。それに対応して、端末は、ネットワーク側機器からの通知に基づいて、割り当てられた非直交多元接続基本伝送ユニットを確定する。
【００７０】
実施の際に、端末は、対応する非直交多元接続基本伝送ユニットで、パイロット信号とデータを同時にネットワーク側機器に送信する。それに対応して、ネットワーク側機器は、非直交多元接続基本伝送ユニット毎に端末のパイロット信号をリアルタイムにモニタリングし、端末からのデータ送信有無を判断し、データ送信のある端末のデータ検出を行う。
【００７１】
ここでいう同時の時間精度は、非直交多元接続基本リソース単位ＰＲＢペアの時間粒度であり、すなわちサブフレームである。すなわち、１つのサブフレームでパイロット信号とデータをネットワーク側機器に送信する。
【００７２】
選択可能に、ネットワーク側機器は、データ検出を行う際に、他端末とパイロット信号衝突が発生する端末があるかを判断してもよい。
【００７３】
具体的に、前記ネットワーク側機器は、端末からアップリンクデータの受信時間間隔が閾値より大きくなるかを判断し、そうである場合、前記端末と他端末のパイロット信号衝突が存在すると確定するが、そうでなければ、前記端末と他端末のパイロット信号衝突が存在しないと確定する。
【００７４】
実施の際に、ネットワーク側機器は、前記端末と他端末のパイロット信号衝突が存在すると確定すると、多種類の処理方式を有する。以下、いくつかの方式を列挙する。
【００７５】
方式１：新規の非直交多元接続基本伝送ユニットを端末に割り当てる。
具体的に、ネットワーク側機器は、他端末とのパイロット信号衝突が発生する端末の存在を確定すると、予め保留したスケジューリング用時間周波数領域リソースで伝送するように前記端末をスケジューリングし、新規の非直交多元接続基本伝送ユニットへのマッピングをダウンリンクシグナリングによって当該端末に通知する。それに対応して、端末は、新規の非直交多元接続基本伝送ユニットによって、パイロット信号とデータを同時にネットワーク側機器に送信する。
【００７６】
方式２：遅延送信
具体的に、ネットワーク側機器は、他端末とのパイロット信号衝突が発生する端末の存在を確定すると、マルチユーザのパイロット信号衝突の存在をダウンリンクシグナリングによって前記端末に通知する。それに対応して、端末は、ネットワーク側機器からマルチユーザのパイロット信号衝突の存在がダウンリンクシグナリングによって通知された後に、データ送信の際にＮ（正の整数）個サブフレームの遅延後にパイロット信号とデータの送信を対応する非直交多元接続基本伝送ユニットで行う。
【００７７】
実施の際に、Ｎの値は、プロトコルで設定されてもよく、ネットワーク側機器と端末の取り決めによって決められてもよく、ネットワークのハイレイヤによって決められてもよい。
【００７８】
ここで、本開示の一部の実施例におけるネットワーク側機器は、基地局（例えばマクロ基地局、家庭基地局など）であってもよく、ＲＮ（中継）機器であってもよく、その他のネットワーク側機器であってもよい。
【００７９】
図４に示すように、本開示の一部の実施例による第１種類のネットワーク側機器は、端末と、時間周波数領域リソース、パターンベクトルリソース、パイロットリソースに対応する非直交多元接続基本伝送ユニットとのマッピング関係を確定するための第１確定モジュール４００と、端末に対応する非直交多元接続基本伝送ユニットで端末のパイロット信号を検出するための検出モジュール４０１と、前記パイロット信号を検出すると、前記パイロット信号の送信端末のデータ検出を非直交多元接続基本伝送ユニットによって行うための処理モジュール４０２とを含む。
【００８０】
選択可能に、非直交多元接続基本伝送ユニットに対応する時間領域リソースは、１つまたは複数のＯＦＤＭシンボルを基本単位とし、非直交多元接続基本伝送ユニットに対応する周波数領域リソースは、含まれるサブキャリア数が非直交多元接続パターン行列の行数の整数倍である周波数領域サブキャリア群を基本単位とし、非直交多元接続基本伝送ユニットに対応するパターンベクトルリソースは、非直交多元接続パターン行列のうちの１列を基本単位とし、非直交多元接続基本伝送ユニットに対応するパイロットリソースは、１組の直交パイロット信号集合のうちの１つを基本単位とする。
【００８１】
選択可能に、端末と非直交多元接続基本伝送ユニットとのマッピング関係では、ネットワーク側機器から離れた端末は、ネットワーク側機器に近い端末より、ＮＬＯＳ特徴が明らかである。
【００８２】
選択可能に、前記第１確定モジュール４００は、具体的に、非直交多元接続パターン行列に基づいて非直交多元接続基本伝送ユニットを端末に割り当てること、または、それぞれ値の異なる各端末の端末情報に基づいて、端末に割り当てる非直交多元接続基本伝送ユニットを確定すること、または、ベアラーユーザ数の最も少ない非直交多元接続基本伝送ユニットを優先的に端末に割り当てることに用いられる。
【００８３】
選択可能に、前記第１確定モジュール４００は、具体的に、端末とネットワーク側機器との距離に応じて、非直交多元接続パターン行列で、異なるダイバーシティのパターンベクトルを有する非直交多元接続基本伝送ユニットを端末に割り当てることに用いられ、ここで、遠く離れた端末に対し、高いダイバーシティのパターンベクトルを有する非直交多元接続基本伝送ユニットを割り当てる。
【００８４】
選択可能に、前記第１確定モジュール４００は、さらに、端末に対応する非直交多元接続基本伝送ユニットを前記端末に通知することに用いられる。
【００８５】
選択可能に、前記処理モジュール４０２は、さらに、他端末とのパイロット信号衝突が発生する端末の存在を確定すると、予め保留したスケジューリング用時間周波数領域リソースで伝送するように前記端末をスケジューリングし、新規の非直交多元接続基本伝送ユニットへのマッピングをダウンリンクシグナリングによって当該端末に通知すること、または、他端末とのパイロット信号衝突が発生する端末の存在を確定すると、前記端末がデータ送信の際にＮ（正の整数）個サブフレームの遅延後にパイロット信号とデータの送信を対応する非直交多元接続基本伝送ユニットで行うように、マルチユーザのパイロット信号衝突の存在をダウンリンクシグナリングによって前記端末に通知することに用いられる。
【００８６】
選択可能に、前記処理モジュール４０２は、さらに、端末からアップリンクデータの受信時間間隔が閾値より大きくなるかによって、パイロット信号衝突が発生する端末の有無を判断することに用いられ、そうである場合、前記端末と他端末のパイロット信号衝突が存在すると確定するが、そうでなければ、前記端末と他端末のパイロット信号衝突が存在しないと確定する。
【００８７】
選択可能に、前記処理モジュール４０２は、さらに、前記パイロット信号を受信した後に、前記パイロット信号の送信端末のパイロットチャネル推定を、非直交多元接続基本伝送ユニットによって行うことに用いられる。
【００８８】
図５に示すように、本開示の一部の実施例による第１種類の端末は、割り当てられた非直交多元接続基本伝送ユニットであって、時間周波数領域リソース、パターンベクトルリソース、パイロットリソースに対応する前記非直交多元接続基本伝送ユニットを確定するための第２確定モジュール５００と、送信される必要のあるアップリンクデータがある場合、対応する非直交多元接続基本伝送ユニットで、パイロット信号とデータを同時にネットワーク側機器に送信するための送信モジュール５０１とを含む。
【００８９】
ここで、送信モジュール５０１は、送信される必要のあるアップリンクデータがない場合、対応する非直交多元接続基本伝送ユニットで、パイロット信号とデータの送信を行わない。
【００９０】
選択可能に、非直交多元接続基本伝送ユニットに対応する時間領域リソースは、１つまたは複数のＯＦＤＭシンボルを基本単位とし、非直交多元接続基本伝送ユニットに対応する周波数領域リソースは、含まれるサブキャリア数が非直交多元接続パターン行列の行数の整数倍である周波数領域サブキャリア群を基本単位とし、非直交多元接続基本伝送ユニットに対応するパターンベクトルリソースは、非直交多元接続パターン行列のうちの１列を基本単位とし、非直交多元接続基本伝送ユニットに対応するパイロットリソースは、１組の直交パイロット信号集合のうちの１つを基本単位とする。
【００９１】
選択可能に、端末と非直交多元接続基本伝送ユニットとのマッピング関係では、ネットワーク側機器から離れた端末は、ネットワーク側機器に近い端末より、ＮＬＯＳ特徴が明らかである。
【００９２】
選択可能に、前記第２確定モジュール５００は、具体的に、前記ネットワーク側機器から通知される対応する非直交多元接続基本伝送ユニットを受信すること、または、それぞれ値の異なる各端末の端末情報に基づいて、割り当てられる非直交多元接続基本伝送ユニットを確定することに用いられる。
【００９３】
選択可能に、前記送信モジュール５０１は、さらに、マルチユーザのパイロット信号衝突の存在が前記ネットワーク側機器からダウンリンクシグナリングによって通知されると、データ送信の際にＮ（正の整数）個サブフレームの遅延後に、パイロット信号とデータの送信を対応する非直交多元接続基本伝送ユニットで行うことに用いられる。
【００９４】
図６に示すように、本開示の一部の実施例による第２種類のネットワーク側機器は、プロセッサ６０１と、プロセッサ６０１による制御でデータを送受信するためのトランシーバ６０２とを含む。前記プロセッサ６０１は、メモリ６０４からプログラムを読み取って、端末と、時間周波数領域リソース、パターンベクトルリソース、パイロットリソースに対応する非直交多元接続基本伝送ユニットとのマッピング関係を確定するプロセスと、端末に対応する非直交多元接続基本伝送ユニットで端末のパイロット信号を検出するプロセスと、前記パイロット信号を検出すると、前記パイロット信号の送信端末のデータ検出をトランシーバ６０２を介して非直交多元接続基本伝送ユニットによって行うプロセスとを実行する。
【００９５】
選択可能に、非直交多元接続基本伝送ユニットに対応する時間領域リソースは、１つまたは複数のＯＦＤＭシンボルを基本単位とし、非直交多元接続基本伝送ユニットに対応する周波数領域リソースは、含まれるサブキャリア数が非直交多元接続パターン行列の行数の整数倍である周波数領域サブキャリア群を基本単位とし、非直交多元接続基本伝送ユニットに対応するパターンベクトルリソースは、非直交多元接続パターン行列のうちの１列を基本単位とし、非直交多元接続基本伝送ユニットに対応するパイロットリソースは、１組の直交パイロット信号集合のうちの１つを基本単位とする。
【００９６】
選択可能に、端末と非直交多元接続基本伝送ユニットとのマッピング関係では、ネットワーク側機器から離れた端末は、ネットワーク側機器に近い端末より、ＮＬＯＳ特徴が明らかである。
【００９７】
選択可能に、プロセッサ６０１は、具体的に、非直交多元接続パターン行列に基づいて非直交多元接続基本伝送ユニットを端末に割り当てること、または、それぞれ値の異なる各端末の端末情報に基づいて、端末に割り当てる非直交多元接続基本伝送ユニットを確定すること、または、ベアラーユーザ数の最も少ない非直交多元接続基本伝送ユニットを優先的に端末に割り当てることに用いられる。
【００９８】
選択可能に、プロセッサ６０１は、具体的に、端末とネットワーク側機器との距離に応じて、非直交多元接続パターン行列で、異なるダイバーシティのパターンベクトルを有する非直交多元接続基本伝送ユニットを端末に割り当てることに用いられ、ここで、遠く離れた端末に対し、高いダイバーシティのパターンベクトルを有する非直交多元接続基本伝送ユニットを割り当てる。
【００９９】
選択可能に、プロセッサ６０１は、さらに、端末に対応する非直交多元接続基本伝送ユニットを前記端末に通知することに用いられる。
【０１００】
選択可能に、プロセッサ６０１は、さらに、他端末とのパイロット信号衝突が発生する端末の存在を確定すると、予め保留したスケジューリング用時間周波数領域リソースで伝送するように前記端末をスケジューリングし、新規の非直交多元接続基本伝送ユニットへのマッピングをダウンリンクシグナリングによって当該端末に通知すること、または、他端末とのパイロット信号衝突が発生する端末の存在を確定すると、前記端末がデータ送信の際にＮ（正の整数）個サブフレームの遅延後にパイロット信号とデータの送信を対応する非直交多元接続基本伝送ユニットで行うように、マルチユーザのパイロット信号衝突の存在をダウンリンクシグナリングによって前記端末に通知することに用いられる。
【０１０１】
選択可能に、プロセッサ６０１は、さらに、端末からアップリンクデータの受信時間間隔が閾値より大きくなるかによって、パイロット信号衝突が発生する端末の有無を判断することに用いられ、そうである場合、前記端末と他端末のパイロット信号衝突が存在すると確定するが、そうでなければ、前記端末と他端末のパイロット信号衝突が存在しないと確定する。
【０１０２】
選択可能に、プロセッサ６０１は、さらに、前記パイロット信号を受信した後に、前記パイロット信号の送信端末のパイロットチャネル推定を、非直交多元接続基本伝送ユニットによって行うことに用いられる。
【０１０３】
図６において、バスアーキテクチャ（バス６００で示す）は、任意数の相互接続されるバスとブリッジを含み、バス６００は、プロセッサ６０１をはじめとする１つまたは複数のプロセッサとメモリ６０４をはじめとするメモリの各種類の回路を接続する。バス６００は、周辺イクイップメント、レギュレーター、電力管理回路などの各種類のほかの回路を接続してもよい。これらは、いずれも本分野の公知事項であり、本文においてさらなる記載をしない。バスインタフェース６０３は、バス６００とトランシーバ６０２との間でインタフェースを提供する。トランシーバ６０２は、１つまたは複数の部品であり、例えば複数の送信機と受信機であり、伝送媒体でほかの各種類の装置と通信するユニットとして提供される。プロセッサ６０１の処理を経たデータは、アンテナ６０５を介して無線媒体で伝送される。さらに、アンテナ６０５は、データを受信してプロセッサ６０１に伝送する。
【０１０４】
プロセッサ６０１は、バス６００と通常の処理を管理し、さらに計時、周辺インタフェース、電圧調整、電源管理および他の制御機能を含む各種類の機能を提供する。メモリ６０４は、プロセッサ６０１による操作実行に使用されるデータの記憶に用いられる。
【０１０５】
選択可能に、プロセッサ６０１は、ＣＰＵ（中央演算処理装置）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはＣＰＬＤ（Ｃｏｍｐｌｅｘ  Ｐｒｏｇｒａｍｍａｂｌｅ  Ｌｏｇｉｃ  Ｄｅｖｉｃｅ）である。
【０１０６】
図７に示すように、本開示の一部の実施例による第２種類の端末は、プロセッサ７０１と、プロセッサ７０１による制御でデータを送受信するためのトランシーバ７０２とを含む。プロセッサは、メモリ７０４からプログラムを読み取って、割り当てられた非直交多元接続基本伝送ユニットであって、時間周波数領域リソース、パターンベクトルリソース、パイロットリソースに対応する前記非直交多元接続基本伝送ユニットを確定するプロセスと、送信される必要のあるアップリンクデータがある場合、対応する非直交多元接続基本伝送ユニットで、トランシーバ７０２を介してパイロット信号とデータを同時にネットワーク側機器に送信するプロセスとを実行する。
【０１０７】
ここで、プロセッサ７０１は、送信される必要のあるアップリンクデータがない場合、対応する非直交多元接続基本伝送ユニットで、パイロット信号とデータの送信を行わない。
【０１０８】
選択可能に、非直交多元接続基本伝送ユニットに対応する時間領域リソースは、１つまたは複数のＯＦＤＭシンボルを基本単位とし、非直交多元接続基本伝送ユニットに対応する周波数領域リソースは、含まれるサブキャリア数が非直交多元接続パターン行列の行数の整数倍である周波数領域サブキャリア群を基本単位とし、非直交多元接続基本伝送ユニットに対応するパターンベクトルリソースは、非直交多元接続パターン行列のうちの１列を基本単位とし、非直交多元接続基本伝送ユニットに対応するパイロットリソースは、１組の直交パイロット信号集合のうちの１つを基本単位とする。
【０１０９】
選択可能に、端末と非直交多元接続基本伝送ユニットとのマッピング関係では、ネットワーク側機器から離れた端末は、ネットワーク側機器に近い端末より、ＮＬＯＳ特徴が明らかである。
【０１１０】
選択可能に、プロセッサ７０１は、具体的に、前記ネットワーク側機器から通知された対応する非直交多元接続基本伝送ユニットを受信すること、または、それぞれ値の異なる各端末の端末情報に基づいて、割り当てられた非直交多元接続基本伝送ユニットを確定することに用いられる。
【０１１１】
選択可能に、プロセッサ７０１は、さらに、マルチユーザのパイロット信号衝突の存在が前記ネットワーク側機器からダウンリンクシグナリングによって通知されると、データ送信の際にＮ（正の整数）個サブフレームの遅延後に、パイロット信号とデータの送信を対応する非直交多元接続基本伝送ユニットで行うことに用いられる。
【０１１２】
図７において、バスアーキテクチャ（バス７００で示す）は、任意数の相互接続されるバスとブリッジを含み、プロセッサ７０１をはじめとする１つまたは複数のプロセッサとメモリ７０４をはじめとするメモリの各種類の回路を接続する。バス７００は、周辺イクイップメント、レギュレーター、電力管理回路などの各種類のほかの回路を接続してもよい。これらは、いずれも本分野の公知事項であり、本文においてさらなる記載をしない。バスインタフェース７０３は、バス７００とトランシーバ７０２との間でインタフェースを提供する。トランシーバ７０２は、１つまたは複数の部品であり、例えば複数の送信機と受信機であり、伝送媒体でほかの各種類の装置と通信するユニットとして提供される。例えば、トランシーバ７０２は、他の機器から外部データを受信する。トランシーバ７０２は、プロセッサ７０１の処理を経たデータを他の機器に送信することに用いられる。計算システムの性質によっては、ユーザインタフェース７０５として、例えばキーパッド、ディスプレイ、スピーカ、マイクロフォン、ジョイスティックなどが提供される。
【０１１３】
プロセッサ７０１は、バス７００と通常の処理を管理し、前述のように汎用ＯＳを実行する。メモリ７０４は、プロセッサ７０１による操作実行に使用されるデータの記憶に用いられる。
【０１１４】
選択可能に、プロセッサ７０１は、ＣＰＵ、ＡＳＩＣ、ＦＰＧＡまたはＣＰＬＤである。
【０１１５】
同一の開示思想に基づき、本開示の一部の実施例は、データ伝送方法をさらに提供する。当該方法に対応する機器が本開示の一部の実施例によるデータ伝送システムのネットワーク側機器であり、しかも当該方法により問題を解決する原理が当該機器と類似するため、当該方法の実施例は、機器の実施例を参照されたく、繰り返して記載しない。
【０１１６】
図８に示す本開示の一部の実施例による第１種類のデータ伝送方法は、ネットワーク側機器が、端末と、時間周波数領域リソース、パターンベクトルリソース、パイロットリソースに対応する非直交多元接続基本伝送ユニットとのマッピング関係を確定するステップ８００と、前記ネットワーク側機器が、端末に対応する非直交多元接続基本伝送ユニットで端末のパイロット信号を検出するステップ８０１と、前記ネットワーク側機器が、前記パイロット信号を検出すると、前記パイロット信号の送信端末のデータ検出を非直交多元接続基本伝送ユニットによって行うステップ８０２とを含む。
【０１１７】
選択可能に、前記ネットワーク側機器は、前記パイロット信号を検出すると、前記パイロット信号の送信端末のパイロットチャネル推定を非直交多元接続基本伝送ユニットによって行う。
【０１１８】
選択可能に、非直交多元接続基本伝送ユニットに対応する時間領域リソースは、１つまたは複数のＯＦＤＭシンボルを基本単位とし、非直交多元接続基本伝送ユニットに対応する周波数領域リソースは、含まれるサブキャリア数が非直交多元接続パターン行列の行数の整数倍である周波数領域サブキャリア群を基本単位とし、非直交多元接続基本伝送ユニットに対応するパターンベクトルリソースは、非直交多元接続パターン行列のうちの１列を基本単位とし、非直交多元接続基本伝送ユニットに対応するパイロットリソースは、１組の直交パイロット信号集合のうちの１つを基本単位とする。
【０１１９】
選択可能に、端末と非直交多元接続基本伝送ユニットとのマッピング関係では、ネットワーク側機器から離れた端末は、ネットワーク側機器に近い端末より、ＮＬＯＳ（Ｎｏｎ−ＬＯＳ）特徴が明らかである。
【０１２０】
選択可能に、前記ネットワーク側機器が、端末に割り当てる非直交多元接続基本伝送ユニットを確定することは、非直交多元接続パターン行列に基づいて非直交多元接続基本伝送ユニットを端末に割り当てること、または、それぞれ値の異なる各端末の端末情報に基づいて、端末に割り当てる非直交多元接続基本伝送ユニットを確定すること、または、ベアラーユーザ数の最も少ない非直交多元接続基本伝送ユニットを優先的に端末に割り当てることを含む。
【０１２１】
選択可能に、前記ネットワーク側機器が、非直交多元接続パターン行列に基づいて非直交多元接続基本伝送ユニットを端末に割り当てることは、端末とネットワーク側機器との距離に応じて、非直交多元接続パターン行列で、異なるダイバーシティのパターンベクトルを有する非直交多元接続基本伝送ユニットを端末に割り当てることを含み、ここで、遠く離れた端末に対し、高いダイバーシティのパターンベクトルを有する非直交多元接続基本伝送ユニットを割り当てる。
【０１２２】
選択可能に、前記ネットワーク側機器は、非直交多元接続パターン行列に基づいて非直交多元接続基本伝送ユニットを端末に割り当てた後に、さらに、端末に対応する非直交多元接続基本伝送ユニットを前記端末に通知する。
選択可能に、前記ネットワーク側機器は、前記パイロット信号を検出し、前記パイロット信号の送信端末のデータ検出を行った後に、さらに、他端末とのパイロット信号衝突が発生する端末の存在を確定すると、予め保留したスケジューリング用時間周波数領域リソースで伝送するように前記端末をスケジューリングし、新規の非直交多元接続基本伝送ユニットへのマッピングをダウンリンクシグナリングによって当該端末に通知し、または、他端末とのパイロット信号衝突が発生する端末の存在を確定すると、前記端末がデータ送信の際にＮ（正の整数）個サブフレームの遅延後にパイロット信号とデータの送信を対応する非直交多元接続基本伝送ユニットで行うように、マルチユーザのパイロット信号衝突の存在をダウンリンクシグナリングによって前記端末に通知する。
【０１２３】
選択可能に、前記ネットワーク側機器は、端末からアップリンクデータの受信時間間隔が閾値より大きくなるかによって、パイロット信号衝突が発生する端末の有無を判断し、そうである場合、前記端末と他端末のパイロット信号衝突が存在すると確定するが、そうでなければ、前記端末と他端末のパイロット信号衝突が存在しないと確定する。
【０１２４】
同一の開示思想に基づき、本開示の一部の実施例は、データ伝送方法をさらに提供する。当該方法に対応する機器が本開示の一部の実施例によるデータ伝送システムの端末であり、しかも当該方法により問題を解決する原理が当該機器と類似するため、当該方法の実施例は、機器の実施例を参照されたく、繰り返して記載しない。
【０１２５】
図９に示す本開示の一部の実施例による第２種類のデータ伝送方法は、端末が、割り当てられた非直交多元接続基本伝送ユニットであって、時間周波数領域リソース、パターンベクトルリソース、パイロットリソースに対応する前記非直交多元接続基本伝送ユニットを確定するステップ９００と、前記端末が、送信される必要のあるアップリンクデータがある場合、対応する非直交多元接続基本伝送ユニットで、パイロット信号とデータを同時にネットワーク側機器に送信するステップ９０１とを含む。
【０１２６】
ここで、前記端末は、送信される必要のあるアップリンクデータがない場合、対応する非直交多元接続基本伝送ユニットで、パイロット信号とデータの送信を行わない。
【０１２７】
実施の際に、本開示の一部の実施例において、端末は、データを送信する前にデータを含まずアップリンクパイロットのみを含むアイドルパイロット信号を送信し、一定時間が経過してからアップリンクパイロットとデータの両方を含む信号を送信してもよく、データ伝送がなくても、所定時間長のアイドルアップリンクパイロット信号を持続的に送信してもよい。
【０１２８】
選択可能に、非直交多元接続基本伝送ユニットに対応する時間領域リソースは、１つまたは複数のＯＦＤＭシンボルを基本単位とし、非直交多元接続基本伝送ユニットに対応する周波数領域リソースは、含まれるサブキャリア数が非直交多元接続パターン行列の行数の整数倍である周波数領域サブキャリア群を基本単位とし、非直交多元接続基本伝送ユニットに対応するパターンベクトルリソースは、非直交多元接続パターン行列のうちの１列を基本単位とし、非直交多元接続基本伝送ユニットに対応するパイロットリソースは、１組の直交パイロット信号集合のうちの１つを基本単位とする。
【０１２９】
選択可能に、端末と非直交多元接続基本伝送ユニットとのマッピング関係では、ネットワーク側機器から離れた端末は、ネットワーク側機器に近い端末より、ＮＬＯＳ（Ｎｏｎ−ＬＯＳ）特徴が明らかである。
【０１３０】
選択可能に、前記端末が、割り当てられる非直交多元接続基本伝送ユニットを確定することは、前記ネットワーク側機器から通知される対応する非直交多元接続基本伝送ユニットを受信すること、または、それぞれ値の異なる各端末の端末情報に基づいて、割り当てられる非直交多元接続基本伝送ユニットを確定することを含む。
【０１３１】
選択可能に、前記端末は、対応する非直交多元接続基本伝送ユニットで、パイロット信号とデータを同時にネットワーク側機器に送信した後に、さらに、マルチユーザのパイロット信号衝突の存在が前記ネットワーク側機器からダウンリンクシグナリングによって通知されると、データ送信の際にＮ（正の整数）個サブフレームの遅延後に、パイロット信号とデータの送信を対応する非直交多元接続基本伝送ユニットで行う。
【０１３２】
以下、非直交多元接続技術のＰＤＭＡを例として、本開示の方法を説明する。
【０１３３】
本開示の一部の実施例に基づいて、端末からＰＤＭＡ基本伝送ユニットへのマッピングルールは、上述の方法１を採用し、すなわち、端末のランダムアクセスプロセス中にレポートされるパスロス（ＰＬ）を用いて当該端末とＰＤＭＡ基本伝送ユニットとの一対一のマッピング関係を確立する。衝突処理については、上述の衝突処理方法２を採用する。
【０１３４】
ステップ１において、基地局と端末で予めアップリンクのスケジューリングなしパラメータが定義される。
【０１３５】
アップリンクのスケジューリングなしパラメータは、下記の一部または全てを含むが、それらに限定されない。
１）  システムの帯域幅：２０ＭＨｚ
２）  スケジューリングなし／スケジューリングありの時間周波数領域リソース区分割合：ｒａｔｉｏ＝０．８：０．２
３）  アップリンクのスケジューリングなし伝送のデータフォーマット：情報元ビット長３０Ｂｙｔｅ、符号化変調方式はＱＰＳＫ、１／２
４）  アップリンクのスケジューリングなしのＰＤＭＡ基本伝送ユニット：ＰＤＭＡ［３，７］パターン行列採用
本開示の一部の実施例におけるアップリンクのスケジューリングなしのＰＤＭＡ基本伝送ユニットは、図２に示されている。
図２には、同一時間周波数領域リソースグループ内の２８個のＰＤＭＡ基本伝送ユニット候補が示されているが、０〜６までは、同一のパイロットリソース、異なるＰＤＭＡパターンベクトルに対応し、７〜１３までは、同様に同一のパイロットリソース、異なるパターンベクトルに対応し、０、７、１４、２１は、同一のＰＤＭＡパターンベクトル、異なるパイロットリソースに対応し、１、８、１５、２２も同一のＰＤＭＡパターンベクトル、異なるパイロットリソースに対応し、これをもって類推する。
ＰＤＭＡ［３，７］パターン行列の行数が３であり、各行のデータは、連続する時間周波数領域ユニットにマッピングされてもよく、それぞれ連続しない時間周波数領域ユニットにマッピングされてもよい。式（１）のように、各時間周波数領域リソースグループに３つの連続する時間周波数領域リソースを含み、ＰＤＭＡパターンベクトルの数が７であり、各ＰＤＭＡパターンベクトルに４つの異なるパイロット信号が対応する。
【数１】
0006548811.tif 000002
当該パターン行列に３種類の異なるダイバーシティのパターンベクトルを有し、ダイバーシティが３、２、１であるパターンベクトルは、それぞれ１列目、２〜４列目、５〜７列目に対応する。したがって、パターン行列を３つのパターンベクトルグループに分けることができ、各パターンベクトルグループ内のパターンベクトルの数は、それぞれ
【数２】
0006548811.tif 000003
である。
５）端末からＰＤＭＡ基本伝送ユニットへのマッピングルール：伝送方法１（すなわち端末が基地局にアクセスする際に、基地局から、端末に対し対応するＰＤＭＡ基本伝送ユニットを割り当てる）。
【０１３６】
ステップ２において、端末は、従来のＬＴＥにおけるランダムアクセスプロセスを援用して基地局にランダムアクセス要求を送信し、基地局へのアクセスに成功する。
【０１３７】
ステップ３において、基地局は、端末のランダムアクセスプロセス中にレポートされるパスロス（ＰＬ）をチャネル環境パラメータとし、当該端末とＰＤＭＡ基本伝送ユニットとの一対一のマッピング関係を確立し、当該マッピング関係を当該端末に通知する。
【０１３８】
図３に示すように、７個のユーザのＰＬ値は、大きいほうから、順にユーザ１＞ユーザ２／３／４＞ユーザ５／６／７である。ＰＬの大きいユーザをダイバーシティの高いパターンベクトルグループに割り当て、ＰＬの小さいユーザをダイバーシティの低いパターンベクトルグループに割り当てる。すると、ユーザ１は、ＰＤＭＡ［３，７］行列のダイバーシティが３である列を占用し、ユーザ２／３／４は、ダイバーシティが２である列を占用し、ユーザ５／６／７は、ダイバーシティが１である列を占用する。
【０１３９】
ステップ４において、端末は、基地局から送信した当該端末とＰＤＭＡ基本伝送ユニットとのマッピング関係を取得し、データサービスの送信時に、割り当てられたＰＤＭＡ基本伝送ユニットでデータとパイロット信号を同時に送信する。ここで、データは、アップリンクのスケジューリングなし伝送のデータフォーマットを厳守する必要がある。
【０１４０】
ステップ５において、基地局は、ＰＤＭＡ基本伝送ユニット毎に、全ての端末候補のパイロット信号をリアルタイムにモニタリングし、端末候補にデータ送信があるかを判断し、データ伝送のある端末のデータ検出を行う。
【０１４１】
ステップ６において、基地局は、マルチ端末ユーザのパイロット信号衝突が存在するかを判断し、マルチ端末ユーザのパイロット信号衝突が存在すると、衝突方法２で処理する。すなわち、基地局は、マルチ端末のパイロット信号衝突の存在を当該端末に対しダウンリンクシグナリングで通知し、端末は、ランダムに１つのＮ値を生成し、データ送信のたびに、Ｎ個サブフレーム（すなわち退避時間）の遅延後に、当該ＰＤＭＡ基本伝送ユニットでパイロット信号とデータの送信を行う。
【０１４２】
本開示の一部の実施例に基づいて、端末からＰＤＭＡ基本伝送ユニットへのマッピングルールは、上述の方法２を採用し、衝突処理については、上述の衝突処理方法１を採用する。
【０１４３】
ステップ１において、基地局と端末で予めアップリンクのスケジューリングなしパラメータが定義される。
【０１４４】
アップリンクのスケジューリングなしパラメータは、下記の一部または全てを含むが、それらに限定されない。
１）  システムの帯域幅：２０ＭＨｚ
２）  スケジューリングなし／スケジューリングありの時間周波数領域リソース区分割合：ｒａｔｉｏ＝０．８：０．２
３）  アップリンクのスケジューリングなし伝送のデータフォーマット：情報元ビット長３０Ｂｙｔｅ、符号化変調方式ＱＰＳＫ、１／２。
４）  アップリンクのスケジューリングなしのＰＤＭＡ基本伝送ユニット：ＰＤＭＡ［３，７］パターン行列採用
本開示の一部の実施例におけるアップリンクのスケジューリングなしのＰＤＭＡ基本伝送ユニットは、図２に示されている。
図２には、同一時間周波数領域リソースグループ内の２８個のＰＤＭＡ基本伝送ユニット候補が示されているが、０〜６までは、同一のパイロットリソース、異なるＰＤＭＡパターンベクトルに対応し、７〜１３までは、同様に同一のパイロットリソース、異なるパターンベクトルに対応し、０、７、１４、２１は、同一のＰＤＭＡパターンベクトル、異なるパイロットリソースに対応し、１、８、１５、２２も同一のＰＤＭＡパターンベクトル、異なるパイロットリソースに対応し、これをもって類推する。
ＰＤＭＡ［３，７］パターン行列の行数が３であり、各行のデータは、連続する時間周波数領域ユニットにマッピングされてもよく、それぞれ連続しない時間周波数領域ユニットにマッピングされてもよい。式（１）のように、各時間周波数領域リソースグループに３つの連続する時間周波数領域リソースを含み、ＰＤＭＡパターンベクトルの数が７であり、各ＰＤＭＡパターンベクトルに４つの異なるパイロット信号が対応する。
当該パターン行列に３種類の異なるダイバーシティのパターンベクトルを有し、ダイバーシティが３、２、１であるパターンベクトルは、それぞれ１列目、２〜４列目、５〜７列目に対応する。したがって、パターン行列を３つのパターンベクトルグループに分けることができ、各パターンベクトルグループ内のパターンベクトルの数は、それぞれ
【数３】
0006548811.tif 000004
である。
５）端末からＰＤＭＡ基本伝送ユニットへのマッピングルール：伝送方法２（すなわち端末は、自身固有のユーザ特徴である物理ＩＤに基づいて、一定のルールに従って、対応する非直交多元接続基本伝送ユニットにマッピングする）。
【０１４５】
ステップ２において、端末は、従来のＬＴＥにおけるランダムアクセスプロセスを援用して基地局にランダムアクセス要求を送信し、基地局へのアクセスに成功する。
【０１４６】
ステップ３において、基地局は、端末のアクセス時に、明示的なＰＤＭＡ基本伝送ユニットを端末に割り当てない。
【０１４７】
端末は、自身固有のユーザ特徴（例えば物理ＩＤ）に基づいて、一定のルールに従って、対応するＰＤＭＡ基本伝送ユニットブロックにマッピングする。ここで、具体的に下記のモジュロ演算式が採用される。
ＰＤＭＡ基本伝送ユニット番号＝端末の物理ＩＤ  ｍｏｄ  ＰＤＭＡ基本伝送ユニットの総数。
【０１４８】
端末の後続の全てのアップリンクデータとパイロット信号の伝送は、いずれも当該ＰＤＭＡ基本伝送ユニット番号に対応する時間周波数とＰＤＭＡパターンベクトルなどのリソースで送信される。
【０１４９】
ステップ４において、端末は、基地局から送信した当該端末とＰＤＭＡ基本伝送ユニットとのマッピング関係を取得し、データサービスの送信時に、割り当てられたＰＤＭＡ基本伝送ユニットでデータとパイロット信号を同時に送信する。ここで、データは、アップリンクのスケジューリングなし伝送のデータフォーマットを厳守する必要がある。
【０１５０】
ステップ５において、基地局は、ＰＤＭＡ基本伝送ユニット毎に、全ての端末候補のパイロット信号をリアルタイムにモニタリングし、端末候補にデータ送信があるかを判断し、データ伝送のある端末のデータ検出を行う。
【０１５１】
ステップ６において、基地局は、マルチ端末ユーザのパイロット信号衝突が存在するかを判断し、マルチ端末ユーザのパイロット信号衝突が存在すると、衝突方法１で処理する。すなわち、基地局は、ある端末からアップリンクデータの受信時間間隔がある一定の閾値より大きくなるかを判断し、大きくなる場合、当該端末と他端末のパイロット信号衝突が存在すると確定し、予め保留したスケジューリングありの時間周波数領域リソースで当該端末のスケジューリング伝送を行い、新規のＰＤＭＡ基本伝送ユニットをダウンリンクデータによって当該端末に通知する。
【０１５２】
上述した内容によれば、本開示の実施例のネットワーク側機器は、端末と、時間周波数領域リソース、パターンベクトルリソース、パイロットリソースに対応するＰＤＭＡ基本伝送ユニットとのマッピング関係を確定し、端末に対応するＰＤＭＡ基本伝送ユニットで端末のパイロット信号を検出し、前記パイロット信号を検出すると、前記パイロット信号の送信端末のデータ検出をＰＤＭＡ基本伝送ユニットによって行う。本開示の実施例のネットワーク側機器は、端末に対応するＰＤＭＡ基本伝送ユニットで端末のパイロット信号を検出するので、端末に対するスケジューリングを行う必要なくデータ伝送を実現することができ、大量の端末がアクセスするシーンに対応することができ、制御シグナリングオーバヘッドを節約する。
【０１５３】
本開示は、本開示の一部の実施例による方法、デバイス（システム）およびコンピュータプログラムプロダクトのフロー図および／またはブロック図を参照にして記載されている。フロー図および／またはブロック図における各フローおよび／またはブロック、およびフロー図および／またはブロック図におけるフローおよび／またはブロックの組み合わせは、コンピュータプログラムコマンドにより実現されうると理解されるべきである。これらのコンピュータプログラムコマンドを汎用コンピュータ、専用コンピュータ、嵌め込み式プロセッサまたは他のプログラマブルデータ処理デバイスのプロセッサに提供して１つの機器を形成し、コンピュータまたは他のプログラマブルデータ処理デバイスのプロセッサにより実行される指令により、フロー図の１つまたは複数のフローおよび／またはブロック図の１つまたは複数のブロックで指定される機能を実現するための装置を形成する。
【０１５４】
これらのコンピュータプログラムコマンドは、コンピュータまたは他のプログラマブルデータ処理デバイスに特定の方式で動作させることを導けるコンピュータ読み出し可能なメモリに格納されてもよく、上記コンピュータ読み出し可能なメモリに格納されるコマンドにより、コマンド装置を含むプロダクトを形成する。上記コマンド装置は、フロー図の１つまたは複数のフローおよび／またはブロック図の１つまたは複数のブロックで指定される機能を実現する。
【０１５５】
これらのコンピュータプログラムコマンドは、コンピュータまたは他のプログラマブルデータ処理デバイスにロードされてもよく、コンピュータまたは他のプログラマブルデータ処理デバイスで一連の操作工程を実行することにより、コンピュータで実現される処理を形成し、コンピュータまたは他のプログラマブルデータ処理デバイスで実行されるコマンドにより、フロー図の１つまたは複数のフローおよび／またはブロック図の１つまたは複数のブロックで指定される機能を実現するためのステップを提供する。
【０１５６】
明らかに、当業者は、本開示の精神や範囲を逸脱せずに、本開示に対して様々な変更や変形をすることができる。このように、本開示のこれらの修正や変形が本開示の請求項およびその同等の技術範囲に含まれるものであれば、本開示は、これらの変更や変形を含むことを意図する。
【図１】
0006548811.tif 000005
【図２】
0006548811.tif 000006
【図３】
0006548811.tif 000007
【図４】
0006548811.tif 000008
【図５】
0006548811.tif 000009
【図６】
0006548811.tif 000010
【図７】
0006548811.tif 000011
【図８】
0006548811.tif 000012
【図９】
0006548811.tif 000013